(57)【特許請求の範囲】
【請求項１】
視差を有する二つの像を形成する像形成手段と、前記二つの像からの光を夫々観察者の眼に導くための二つの接眼レンズを含む接眼光学系とを備えた実体顕微鏡において、前記接眼光学系が直径８ｍｍ以上の射出瞳を有し、前記接眼レンズが使用される視度範囲において前記二つの像の夫々の中心から発して前記接眼レンズを介して射出する二つの光束が互いに離れる方向に傾斜し、前記二つの接眼レンズの光軸が前記二つの像の中心に対して平行に偏芯しており、下記の条件（３）を満足する実体顕微鏡。
（３）    Δ＞ｆ×Ｄ×｜ａ｜／２０００
ただしΔ（ｍｍ）は接眼レンズの偏芯量、ｆ（ｍｍ）は接眼レンズの焦点距離、Ｄ（ｍｍ）は接眼レンズの射出瞳径、ａ（１／ｍ）は接眼レンズの視度である。
【請求項２】
接眼レンズの視度が−６ｍ-1（ディオプトリー）から０ｍ-1（ディオプトリー）の間のいずれかの値に固定され、この固定された視度において下記の条件（４）を満足することを特徴とする請求項１の実体顕微鏡。
（４）    ０．０３＜Δ’＜０．１４ｆ
ただしΔ’は接眼レンズの光軸の相対的な偏芯量、ｆは接眼レンズの焦点距離である。
【発明の詳細な説明】
【０００１】
【産業上の利用分野】
本発明は、観察者が両眼で立体観察できる実体顕微鏡に関するものである。
【０００２】
【従来の技術】
手術用顕微鏡等の実体顕微鏡で物体を観察する場合、正常な立体視観察を行なうために観察者は眼幅調節（左右眼の光軸間隔に顕微鏡の左右の接眼レンズの射出瞳の中心間隔を合わせる操作）と視度調節（観察者の視力に接眼レンズの視度を合わせる操作）の二つの操作を夫々独立して行なわなければならない。
【０００３】
従来の実体顕微鏡は、接眼レンズの射出瞳径が非常に小さいため、観察中に観察者の頭が動くと像のけられが発生し、そのため観察者は、作業を行ないながら常に頭を一定の位置に置かねばならず、特に観察が長時間にわたる時、観察者に強い疲労感を与えると云う欠点があった。
【０００４】
この欠点を解消するために、接眼レンズで覗く像面に拡散板を配置し、像からの射出ＮＡを大きくしたり、又は射出ＮＡの大きなテレビモニターを像とする等により、射出ＮＡを大にする方法が開発されている。このような方法により射出瞳が大きくなった実体顕微鏡にて観察を行なえば、射出瞳が大きくなった分だけ頭の動きに伴う像のけられは軽減され、観察者の疲労感は軽減される。
【０００５】
【発明が解決しようとする課題】
前述のように、射出瞳の大きな実体顕微鏡を用いて立体視観察を行なう場合でも、相変らず眼幅調節と視度調節とを行なわなければならない。
【０００６】
また、射出瞳の径を人間の眼幅のばらつき（６５ｍｍを中心として５９ｍｍから７２ｍｍ）をカバーできる大きさ（直径８ｍｍ以上）にすることにより、通常の分布内の眼幅を持つ観察者であればどの観察者でも像のけられのない観察が出来るようにする方法がある。しかし、この方法では、図７（Ａ）に示すように接眼レンズ４，４をマイナス側に視度調節して眼幅の狭い観察者８が観察する場合や、図７（Ｂ）に示すように接眼レンズ４，４をプラス側に視度調節して左右の接眼レンズ４，４の射出瞳中心間隔に対して眼幅の広い観察者が観察する場合、いずれも観察者の視野中心に向かう視線９，９が左右外側に向いてしまう。そのため、図８に示すように観察者の左右の視野が完全に一致しない状態が生じ左右像の融像が困難になる。尚図７においてＷは眼幅を示し、Ｗｍｉｎは眼幅が最も小さい場合、Ｗｍａｘは眼幅が最も大である場合を表わしている。
【０００７】
以上のように単に瞳を大きくするだけではあらゆる観察者に対しすべての視度調節範囲において容易に左右像を融像して立体観察を行なうことが出来ない。
【０００８】
本発明は、射出瞳の大きい実体顕微鏡において、射出瞳の範囲内のどの位置に眼を置いても容易に融像して立体観察を行ない得る実体顕微鏡を提供するものである。
【０００９】
【課題を解決するための手段】
本発明の実体顕微鏡は、視差を有する二つの像を形成する像形成手段と、この二つの像からの光を観察者の眼に導くための二つの接眼レンズを含んでいる接眼光学系とを備え、接眼光学系が直径８ｍｍ以上の射出瞳を有し、又接眼レンズの使用される視度範囲において、二つの像の夫々の中心から発して接眼レンズを介して射出する二つの光束が観察者側において互いに離れる方向に傾斜するようにしたものである。
【００１０】
本発明の実体顕微鏡は、図１に示すように左右の像１，１の中心２，２から射出した光線３，３が左右の接眼レンズ４，４を通り、射出瞳５，５内にある観察者の左右の眼６，６の瞳孔に入射する時に、左右の光線３，３が観察者の眼よりも前７で交わるように各光線３，３に傾きを与えるように構成したものである。つまり、観察者が本発明の実体顕微鏡を用いて物体を観察する時に、観察者の視野中心に向かう左右の視線に輻輳を付けたものである。ここで、像１，１は結像光学系により形成された像の他に、ＣＲＴ等のモニターの表示面をこの位置に置き、その表示面に表示された像であってもよい。
【００１１】
実体顕微鏡を上記のような構成にすれば、射出瞳径が人間の眼幅のばらつき以上に大きな実体顕微鏡でも、眼幅調節を省略した時に生ずる図７にもとづき述べたような左右像の融像が困難になる等の欠点を大幅に解消することが出来る。このように、本発明の実体顕微鏡によれば、通常の分布内の眼幅を持つ者であれば、すべての観察者に対して眼幅調節にかかわらず容易に左右像が融像し、観察時の疲労感の少ない立体観察を行なうことが出来る。
【００１２】
又上記の本発明の実体顕微鏡において、射出瞳の径を１２ｍｍ以上にすれば、眼幅調節を行なわずにしかも像のけられのない観察が可能である上、観察時の頭の動きに伴う像のけられも少なくてすむので望ましい。
【００１３】
更に本発明の実体顕微鏡において、左右の接眼レンズの光軸を傾けることにより左右の視線を輻輳させることができるが、この場合は下記の条件（１）を満足することが望ましい。
【００１４】
（１）    θ＞ｔａｎ−１  ・Ｄ×｜ａ｜／２０００
ただしθは左右接眼レンズの光軸の外側への傾き角、Ｄ，ａは夫々接眼レンズの射出瞳径および視度である。
【００１５】
この条件（１）において、左辺と右辺が等しくなるのは前述の図７の（Ａ）において、観察者の瞳孔が左右とも射出瞳中の最も内側にある状態や、図７の（Ｂ）において観察者の瞳孔が左右とも射出瞳中の最も外側にある状態で、観察者の視野中心に向かう左右視線が左右互いに平行になる場合である。したがって、上記の傾き角θを右辺の値よりも大にすることによって観察者の視野中心に向かう左右の視線が内側を向くようになり、左右の視野中心に向かう視線に輻輳が付くようになる。
【００１６】
上記条件（１）を満足すれば通常の分布内の眼幅を持つすべての観察者に対して眼幅調節にかかわらず容易に左右像の融像が出来、観察者の頭が多少動いても像のけられがなく、観察時に疲労感の少ない立体視観察が出来る。
【００１７】
本発明の実体顕微鏡は、モニターを用いて射出瞳を拡大したものや像位置に拡散板をおいて射出瞳を拡大するものにも適用出来る。
【００１８】
視力の悪い観察者が眼鏡やコンタクトレンズを使用している場合、眼鏡やコンタクトレンズで矯正された状態では観察者の視力はもとの視力にかかわらず大体同じ値である。そのため接眼レンズに視度調節機能を持たせなくとも問題にはならない場合が多い。この点を考慮して接眼レンズから視度調節機能を省き、接眼レンズの視度を−６ディオプトリー〜０ディオプトリーの間の適当な値に固定しても問題が生じない。一般には、−２ディオプトリー〜０ディオプトリーの範囲の値が好ましいが、上記の−６ディオプトリー〜０ディオプトリーの範囲内であればよい。そのためには、下記条件（２）を満足することが好ましい。
【００１９】
（２）    ２．１°＜θ’＜８．２°
ただしθ’は、左右接眼レンズの光軸を外側への傾き角である。
【００２０】
本発明は、像の中心を見た時に視線が外側を向かないようにして、つまり、像の中心より射出して左右の接眼レンズを通って観察者の眼に向かう光線が外側へ向かうようにしてその目的を達成するようにしている。したがって、例えば接眼レンズの視度を０ディオプトリーに固定した場合θ’は０°より僅かに大であれば良い。しかし視度０ディオプトリーの場合でも視線が若干内側を向く（観察者の眼に向かう光線が若干外側を向く）方が観察しやすい。したがってθ’は、実際には上記の条件の下限より大であるのが望ましい。
【００２１】
ここで、視度と瞳径が決まれば傾き角θの最小値は条件（１）より求められる。したがって、条件（１）より求めたθの最小値が条件（２）のθ’の下限値の２．１°よりも小である場合は、条件（２）の範囲内である２．１°〜８．２°の範囲内の適当な値を選べばよく、又条件（１）により求めたθの最小値が２．１°よりも大である場合は、求めたθの最小値と条件（２）のθ’の上限の８．２°との間の適当な値を選べばよい。
【００２２】
条件（２）の下限を越えると、前記理由から図７に示す欠点を十分に解消出来ない。又条件（２）の上限を越えると左右の視野中心に向かう視線の交点が眼の近点２５０ｍｍより近くなり更に眼のピント位置との差が大になり観察しにくくなる。
【００２３】
更に、本発明の実体顕微鏡において、左右の視線を輻輳させることは図４に示すように像の芯に対して接眼レンズの光軸を相対的に左右外側へ平行移動させることによっても可能である。
【００２４】
このように、接眼レンズの光軸を平行移動させる場合は、その移動量（偏芯量）Δが下記条件（３）を満足するようにすることが望ましい。
【００２５】
（３）    Δ＞ｆ×Ｄ×｜ａ｜／２０００
ただしｆは接眼レンズの焦点距離である。
【００２６】
上記の条件（３）は、偏芯量Δを大きくすることにより、左右の視野中心へ向かう視線に幅輳が付くようにするための条件である。この条件（３）を満足することにより、通常の分布内の眼幅を持つすべての観察者に対して眼幅調整にかかわらず容易に融像が出来、多少頭が動いても像のけられがなく観察時の疲労感の少ない立体観察が可能になる。
【００２７】
この場合も、モニターを用いて射出瞳を拡大したものや像位置に拡散板を配置して射出瞳径を大にしたものにたいしても適用できる。
【００２８】
上記のように接眼レンズの光軸を平行移動させた本発明の実体顕微鏡の場合も、接眼レンズの視度を前述のような−６ディオプトリーから０ディオプトリーの間のいずれかの値に固定して視度調節の操作を省略する場合は、偏芯量Δ’を下記条件（４）の範囲内にすることが望ましい。
【００２９】
（４）    ０．０３ｆ＜Δ’＜０．１４ｆ
条件（４）の下限を越えると、前述の図７にもとづく問題点を解消するための効果を得にくくなり、又上限を越えると左右の視野中心に向かう視線の交点が眼の近点２５０ｍｍより近くなり、更に像と眼のピント位置との差が大きくなりすぎ像を見ずらくなる。尚、下限値については条件（２）と同様の考え方を適用できる。すなわち、条件（３）の右辺より求まる下限値が０．０３ｆより小さいときは０．０３ｆと０．１４ｆの間で適当な偏芯量を決め、条件（３）より求まる下限値が０．０３ｆより大きいときはその値を０．１４ｆの間で偏芯量を定める。このような考え方は、後に示す条件（５）と条件（６）の上限、条件（７）と条件（８）の下限についても同様に適用できるものである。
【００３０】
このように、偏芯量Δ’が条件（４）を満足するようにすれば、通常の分布内の眼幅を持つすべての観察者に対して、眼幅調整、視度調整にかかわりなく容易に融像出来、観察者の頭が多少動いても像のけられがなく、観察時の疲労感の少ない立体観察が可能である。
と条件（８）の下限についても同様に適用できるものである。
【００３１】
本発明の実体顕微鏡は、図５に示すように接眼レンズの眼側に凹レンズを配置することによっても目的を達成し得る。つまり左右１対の接眼レンズをそれらの光軸を平行に配置すると共にこれら接眼レンズの眼側にそれらを覆う凹レンズを配置することによって像の中心より出射した光線が凹レンズにより左右外側に屈折し、観察者の視野中心に向かう視線に輻輳をつけることが出来、融像を生じ立体観察を行ないやすくしたものである。このようにすれば、左右の接眼レンズの光軸が平行であるため接眼レンズどうし干渉することなく小型になし得る。又この実体顕微鏡において、凹レンズを光束の通らない部分をカットした横長形状にすれば小型化にとって好ましい。
【００３２】
この実体顕微鏡は、接眼レンズの眼側に配置する凹レンズの焦点距離ｆｎ  により、左右の接眼レンズからの射出光の左右外側への屈折方向がきまり、下記条件（５）の範囲を設定することが望ましい。
【００３３】
（５）    ｆｎ  ＜｛１０００×（Ｄ−６５）｝／［Ｄ×｜ａ｜］
この条件（５）は、条件（１）と同様に観察者の瞳孔が拡大した射出瞳内のどこにきても観察者の視野中心に向かう左右の視線に、必ず輻輳が付くように上記凹レンズの焦点距離を規定するものである。この条件（５）を満足すれば条件（１）の場合と同様に、通常の分布内の眼幅を持つすべての観察者に対して眼幅調整にかかわらず容易に融像でき、観察者の頭が多少動いても像のけられがなく又観察時の疲労感の少ない立体視観察ができる。
【００３４】
ここで、前述のように視度を−６ディオプトリーから０ディオプトリーのいずれかに固定し視度調整を省略する場合、下記条件（６）を満足することが望ましい。
【００３５】
（６）    −７９０ｍｍ＜ｆｎ  ’＜−１８０ｍｍ
つまり、上記条件（６）を満足すると、観察者の瞳孔が、拡大した射出瞳中のどこにきても観察者の視野中心に向かう左右の視線に必ず適切な輻輳がつく。
【００３６】
この条件（６）の下限を越えると図７にもとづき説明した欠点が生じ、条件（６）の上限を越えると視野中心に向かう視線の交点が眼の近点２５０ｍｍより近くなり、又眼のピント位置との差が大になり見ずらくなる。
【００３７】
更に、図６に示すように左右接眼レンズの上部にくさび型プリズムを配置することにより同様の効果を得ることが出来る。この場合プリズムの鋭角部の角度δが次の条件（７）を満足することが望ましい。
【００３８】
（７）    δ＞ｔａｎ−１  ［ｓｉｎ  ｛ｔａｎ−１（Ｄ×｜ａ｜／２０００）｝／｛ｎ−ｃｏｓ  （ｔａｎ−１  （Ｄ×｜ａ｜／２０００））｝］
ただしｎはプリズム等の楔状部状の屈折率である。
【００３９】
この条件（７）も条件（１）と同様、観察者の瞳孔が拡大した射出瞳内のどこでも観察者の視野中心に向かう視線に輻輳が付くための条件である。つまり上記条件（７）を満足すると、前述のように通常の分布内の眼幅を持つすべての観察者に対して、眼幅調節にかかわらず容易に融像でき多少頭が動いても像のけられのない、観察時の疲労感の少ない立体視観察が出来る。また楔状部材（プリズム）を接眼レンズ上へ置く場合、接眼レンズからの出射光線にプリズムの入射面が直交するように配置するのが偏位角を最も大きくし得るので望ましい。しかしプリズムの鋭角部の角度が小さい場合は、どのように置いてもよい。
【００４０】
このように、楔状部材を配置して、本発明効果を得る場合に、前述のように接眼レンズの視度を−６ｍ−１（−６ディオプトリー）から０ｍ−１（０ディオプトリー）の間のいずれかに固定し、視度調節操作を省く場合、楔状部材の鋭角部の角度δ’が下記の条件（８）を満足することが望ましい。
【００４１】
（８）    ４°＜δ’＜１５°
条件（８）の下限を越えると図７に示した問題点を有し、又上限を越えると左右の視野中心に向かう視線の交点が眼の近点２５０ｍｍより近くなり、さらに眼のピント位置との差が大きくなりすぎて見ずらくなる。
【００４２】
【実施例】
次に本発明の実体顕微鏡の実施例を説明する。図２および図３は本発明の第１の実施例の構成を示す図で、前述の図１に示す本発明の実体顕微鏡の基本構成にそった構成で、容易に融像出来るものである。
【００４３】
図３は、手術用顕微鏡の全体構成を示す図である。この顕微鏡は、本体２０と、顕微鏡本体２０の左右にテレビアダプター１３，１３を介して取り付けた２つのテレビカメラ１２，１２と、本体の上部の取り付けられた鏡筒１１，１１とを備えている。
【００４４】
図において、１９は観察される物体である。本体２０は対物レンズ１８と、その上方に配置した左右のビームスプリッターとを内蔵している。物体１９からの光は対物レンズ１８により平行光束となり、その一部がビームスプリッターにより分岐されてテレビアダプター１３，１３に入射する。テレビアダプター１３，１３は各々結像レンズを内蔵していて、ビームスプリッターより光を受けてテレビカメラ内１２，１２に視差を持った２つの物体像を形成する。この像はテレビカメラ１２，１２の中に設けられたＣＣＤイメージセンサー等の固体撮像素子上で受光され、各ＣＣＤから各像を表わす出力信号が得られる。この出力信号は信号線１４，１４を介してカメラコントロールユニット（ＣＣＵ）１５，１５に供給される。ＣＣＵで所定の処理を施された画像信号はコンバーター１６，１６に供給され、３倍速ＲＧＢシリアル信号に変換され、更に信号線１７，１７を介して鏡筒１１，１１に内蔵された画像表示装置に供給される。図では、表示装置の画像表示面を１，１として示し、各画像表示面の中心位置を符号２，２で示してある。この面が観察される物体像となる。鏡筒の１１，１１の画像表示面の上には上下動可能な保持部１０，１０に保持された接眼レンズ４，４が配置され、射出瞳径１４ｍｍの鏡筒が構成されている。５，５は射出瞳位置を示す記号である。尚、本体は通常の実体顕微鏡と同様の変倍光学系等を内蔵しており、本体内部にはビームスプリッターで分岐されなかった光により２つの視差を持つ物体像が形成されている。従って、画像表示装置を内蔵した鏡筒１１，１１を取り外して通常の実体顕微鏡に用いる双眼鏡筒を載せることにより、光学的な立体像を観察することも可能である。
【００４５】
この例では、画像表示装置は１．５インチの３倍速モノクロＣＲＴモニターの上部に液晶カラーフィルターを配置したものを採用している。モニターにはコンバーター１６，１６から３倍速ＲＧＢシリアル信号が供給され、Ｒ信号、Ｇ信号、Ｂ信号に相当するモノクロ画像が順次表示される。液晶フィルターは３倍速信号と同期して動作し、各モノクロ画像をカラー化する。このようにＲＧＢ面順次カラー画像表示とすることにより、表示装置が小型でありながら非常に解像度の良い画像が得られる。画像表示面の水平方向の大きさは２４ｍｍである。画像表示装置より小型化するためにカラー液晶パネル等を使用しても良い。
【００４６】
図２は画像表示装置の表示面と接眼レンズとの関係を示す図である。この実施例では左右の接眼レンズの光軸は２つの画像表示面１，１に立てた平行線に対して左右対称に角度θづつ外側に傾斜している。
【００４７】
又図２において、視度調節範囲が−６〜−４〜−２〜＋２（ディオプトリー）の時左右の接眼レンズの外側への傾き角θを３°〜２°〜１°〜１°とすれば条件（１）を満足する値になる。このように構成すれば像中心から射出する光線のうち、射出瞳内を通る光線は、観察者の眼に輻輳を持った傾きで入射し、観察者の瞳孔が接眼レンズの射出瞳内のどこにあっても観察者の視野中心に向かう視線が互いに輻輳の付いた向きになり、観察者は視度調節にかかわらず容易に融像し、立体視観察を行なうことが出来る。図２に示す構成で、接眼レンズの視度を−１ディオプトリーに固定し、像の芯に垂直に交わる接眼レンズの光軸を左右外側へ２．５°傾けたものは、条件（２）を満足する。これによって、観察者の眼が接眼レンズの射出瞳のどこにあっても観察者の視野中心に向かう視線は互いに輻輳の付いた向きになる。したがって通常の分布内の眼幅をもったすべての観察者に対して、眼幅調節、視度調節にかかわらず容易に融像出来、観察時の疲労感の少ない立体視観察を行なうことが出来る。
【００４８】
図４は本発明の第２の実施例で左右の接眼レンズを偏芯させて本発明の効果を得るようにしたもので、両接眼レンズを図に示すようにΔだけ外側へ平行移動させる。この実施例では、視度調節範囲が−６〜−４〜−２〜＋２（ディオプトリー）の時のΔの値は２ｍｍ〜１．５ｍｍ〜１ｍｍ〜１ｍｍで、条件（３）を満足する。この実施例のようにすれば、像の中心から射出する光線のうち射出瞳内を通る光線が観察者の眼に輻輳を持った傾きで入射し観察者の瞳孔が接眼レンズの射出瞳内のどこにあっても観察者の視野中心に向かう視線が互いに輻輳の付いた向きになっている。そのため観察者の眼幅調節にかかわらず容易に像を融像し、立体視観察が可能である。
【００４９】
この実施例において、接眼レンズの視度を−１ディオプトリーに固定した場合、像の中心に対して接眼レンズの光軸を相対的に左右外側へ１．５ｍｍ（Δ＝１．５ｍｍ）平行移動させればよい。この時Δの値は条件（４）を満足する。このようにすることによって、観察者の眼が上記接眼レンズの射出瞳内のどこにあっても観察者の視野中心に向かう視線が互いに輻輳の付いた向きになる。したがって、通常の分布内の眼幅を持つすべての観察者に対して眼幅調節、視度調節にかかわらず容易に融像ができ、観察時の疲労感の少ない立体視観察ができる。
【００５０】
以上の各実施例において、像の中心と射出瞳中心の間隔が短い程接眼レンズの光軸の傾きや平行移動量はいずれも小さくてよい。図３に示すように像としてモニター画像を用いた場合、接眼レンズの光軸の傾きや平行移動量が小さい程装置の小型化、単純化にとって非常に有利である。そのため最も像の中心と射出瞳中心が短くなる直視ルーペ型（モニターのすぐ上に接眼レンズをおいて観察する）が最も望ましく、小型で射出瞳径が１２ｍｍ以上になるためには、下記の条件を満足することが望ましい。
【００５１】
（９）      ２０°≦ω≦４３．５°
（１０）    ２１．８ｍｍ≦Ｌｍ  ≦５７ｍｍ
（１１）    １２ｍｍ≦Ｄ≦３１．３ｍｍ
（１２）    ２．５≦Ｆｎｏ≦６．５３
（１３）    ３．１９≦βｏｃ≦２１．８
ただしωは接眼レンズの片側の視野角、Ｌｍ  はモニターの水平方向の長さ、Ｄは接眼レンズの射出瞳径、Ｆｎｏは接眼レンズのＦナンバー、βｏｃは接眼レンズの倍率である。
条件（９）の下限は、手術に必要な最低の臨場感を得るための画角で、２０°以下になると必要とする臨場感が得られない。
【００５２】
条件（１０）の上限はモニター枠等を考慮してモニターの中心間隔を６５ｍｍに保ったまま左右に並べるためのモニターの大きさを制限するためのもので、上限を越えると大型になる。
【００５３】
条件（１１）の下限は人間の瞳孔間の距離のばらつき（６５ｍｍを中心として５９ｍｍから７２ｍｍ）以上であってある程度頭を動かせるように設定したものである。
【００５４】
条件（１２）において接眼レンズが下限の２．５を下回るＦナンバーの値になると設計上収差補正を行ないにくくなり、又収差を良好に補正するためにはレンズ枚数を増やさなければならず大型になる。
【００５５】
尚条件（９）の上限、条件（１０）の下限、条件（１１）の上限、条件（１２）の上限、および条件（１３）は、下記の接眼レンズの倍率およびＦナンバーＦｎｏを示す式と上で説明した境界値とを組み合わせることにより決まる。
【００５６】
βｏｃ＝（５００×  ｔａｎω）／Ｌｍ
Ｆｎｏ＝Ｌｍ／（２×Ｄ×ｔａｎ  ω）
前記の各実施例で用いる接眼レンズのデーターは下記の通りである。
0003577107.tif 000002
図５は本発明の第３の実施例を示す図で、接眼レンズの目側に左右の接眼レンズを覆う程度の直径の凹レンズＬｎを配置して本発明の目的を達成するようにした実施例である。したがって、左右の接眼レンズは、その光軸が像の中心を通り互いに平行に配置されている。この実施例では、前記の凹レンズを配置することによって観察者の視野中心に向かう視線に輻輳をつけている。これにより観察者にとって融像し立体観察することが容易となる。また左右の接眼レンズの光軸が平行に配置されるため、接眼レンズどうしの干渉がなく、小型に出来る。
【００５７】
又、この実施例は光学像を直接観察するもので、図５に示すように実体顕微鏡で得られる像位置に拡散板１をおき、像より射出する光束の出射ＮＡを大にして射出瞳を大きくしている。
【００５８】
更にこの実施例では、接眼レンズの上部にのせる凹レンズの焦点距離が−６００ｍｍで、接眼レンズの視度調節範囲が−６〜２ディオプトリーの時に条件（５）を満足する。
【００５９】
この実施例も視野中心から射出する光線のうち、射出瞳内を通る光線は、観察者の眼に輻輳を持った傾きで入射し、観察者の瞳孔が接眼レンズの射出瞳内のどこにあっても観察者の視野中心に向かう視線が互いに輻輳の付く向きになっている。そのため観察者は眼幅調節にかかわらず容易に融像し立体視観察が出来る。
【００６０】
次に、この実施例で用いる凹レンズの詳細な説明を行なう。
【００６１】
下記は凹レンズＬｎのデーターである。
0003577107.tif 000003
ただし、上記データーでｒ１，ｒ２は夫々瞳５の側および接眼レンズ４の側の面の曲率半径、ｄ１はレンズの肉厚、ｎ１，ν１は夫々レンズの屈折率およびアッベ数である。
この実施例において、接眼レンズの視度を−１ディオプトリーに固定し、凹レンズの焦点距離を−６００ｍｍとしたものは条件（６）を満足する。
【００６２】
この実施例によれば、観察者の眼が接眼レンズの射出瞳内のどこにあっても、観察者の視野中心に向かう視線は、必ず輻輳の付いた向きになる。したがって、通常の眼幅を持つすべての観察者に対して、眼幅調節，視度調節にかかわらず容易に融像出来、観察時の疲労感の少ない立体視観察が可能である。
【００６３】
図６は本発明の第４の実施例で、左右の接眼レンズの眼側に楔状部材（楔型プリズム）Ｐを配置し、接眼レンズからの射出光を左右外側へ屈折させるものである。接眼レンズは実施例１で用いたと同じであるが、左右の光軸は平行である。この実施例は、実体顕微鏡で得られた像の上に夫々拡散板１を設け、像よりの射出ＮＡを大にし、射出瞳を大きくする。
【００６４】
この実施例は、楔状部材の鋭角部の角度が１０°であり接眼レンズの視度範囲が−６〜＋２ディオプトリーのとき、条件（７）を満足する。これにより、視野中心から射出する光線のうち射出瞳内を通る光線が観察者の眼に輻輳を持つ傾きで入射し観察者の瞳孔が接眼レンズの射出瞳内のどこにあっても観察者の眼幅調節にかかわらず、容易に融像し、立体観察が可能である。
【００６５】
又上記実施例で、楔状部材の鋭角部の角度を２°として、接眼レンズの視度を−１ディオプトリーに固定したもので条件（８）を満足し得る。ここで楔状部材の材料は屈折率ｎ＝１．５１６３３でアッベ数ν＝６４．１である。これにより観察者の眼が接眼レンズの射出瞳内のどこにあっても観察者の視野中心へ向かう視線が必ず輻輳の付いた向きになる。そのため、通常の分布内の眼幅を持つすべての観察者に対して眼幅調節、視度調節にかかわらず容易に融像でき、観察時の疲労感の少ない立体視観察が可能である。
【００６６】
本発明の実体顕微鏡は、以上説明した通りで、特許請求の範囲の各請求項に記載されたもののほか、次の各項に記載したものも含まれる。
（１）  特許請求の範囲の請求項１に記載されているもので、接眼レンズの射出瞳の径が１２ｍｍ以上であることを特徴とする実体顕微鏡。
（２）  特許請求の範囲の請求項２に記載されているもので、接眼レンズの視度が−６ｍ−１（ディオプトリー）から０ｍ−１（ディオプトリー）のいずれかに固定されていて、この固定された視度で、下記の条件（２）を満足する実体顕微鏡。
【００６７】
２．１°＜θ’＜８．２°
ただしθ’は接眼レンズの光軸上に像の中心を配置し、左右の接眼レンズを外側に傾斜させた時の傾斜角である。
（３）  特許請求の範囲の請求項３に記載されているもので、接眼レンズの視度が−６ｍ−１（ディオプトリー）から０ｍ−１（ディオプトリー）のいずれかに固定され、この固定された視度において下記の条件（４）を満足することを特徴とする実体顕微鏡。
【００６８】
（４）    ０．０３＜Δ’＜０．１４ｆ
ただしΔ’は接眼レンズの光軸の相対的な偏位量、ｆは接眼レンズの焦点距離である。
（４）  特許請求の範囲の請求項１に記載されているもので二つの接眼レンズの光軸が互いに平行であり、二つの接眼レンズの射出側に二つの接眼レンズを覆う凹レンズ或いは二つの接眼レンズの各々に光路を互いに鋭角部を向い合わせた模型プリズムを配置した実体顕微鏡。
【００６９】
（５）  前記（４）に記載されているもので、接眼レンズの視度が−６ｍディオプトリーから１ディオプトリーの間の値に固定され、以下の条件（６）を満足する実体顕微鏡。
（６）    −７９０ｍｍ＜ｆｎ  ＜−２５０ｍｍ
ただし、ｆｎ  は前記凹レンズの焦点距離である。
【００７０】
（６）  前記（４）に記載されているもので、接眼レンズの視度が−６ｍディオプトリーから０ディオプトリーの間のいずれかの値に固定され、以下の条件（８）を満足する実体顕微鏡。
（８）    ４°＜δ’＜１５°
ただし、δ’は楔状部材の鋭角部の角度である。
【００７１】
【発明の効果】
本発明の実体顕微鏡は、接眼レンズの視出射瞳径が８ｍｍ以上で二つの像の中心から発して接眼レンズを射出する二つの光束が互いに離れる方向に向かうように夫々傾斜させるようにしたもので、眼幅調節にかかわらず又観察者の僅かな頭の動きによる像のけられのない立体視観察を可能にしたものである。
【図面の簡単な説明】
【図１】本発明の実体顕微鏡の基本構成を示す図
【図２】本発明の第１の実施例の構成を示す図
【図３】本発明を用いたテレビカメラの構成を示す図
【図４】本発明の第２の実施例の構成を示す図
【図５】本発明の第３の実施例の構成を示す図
【図６】本発明の第４の実施例の構成を示す図
【図７】従来の方法による眼幅視度に対する観察者の視野中心に向かう視線との関係を示す図
【図８】上記従来の方法における左右像の融像を示す図
【図１】
0003577107.tif 000004
【図２】
0003577107.tif 000005
【図３】
0003577107.tif 000006
【図４】
0003577107.tif 000007
【図５】
0003577107.tif 000008
【図６】
0003577107.tif 000009
【図７】
0003577107.tif 000010
【図８】
0003577107.tif 000011